【事件の表示】
　平成１１年特許願第２１０４号「ディスクドライブ装置」拒絶査定に対する審判事件［平成１２年７月２８日出願公開、特開２０００−２０７８２４］について、次のとおり審決する。
【結　論】
　本件審判の請求は、成り立たない。
【理　由】
１．手続きの経緯
　本願は、平成１１年１月７日の出願であって、平成１３年１０月１６日付けで拒絶査定がなされ、これに対し、同年１１月２９日受付けで拒絶査定に対する審判請求がなされるとともに、同年１２月２８日受付けで手続補正がなされたものである。その後、当審において、平成１５年７月１８日付けで拒絶理由が通知された。
　
２．平成１３年１２月２８日受付けの手続補正（以下、「本補正」という。）について
　
［補正却下の決定の結論］
　　平成１３年１２月２８日受付けの手続補正を却下する。
　
［理由］
　　本補正は、出願当初の特許請求の範囲の請求項１の、
「【請求項１】　ディスク記録媒体に記録された情報トラックの記録面に光ビームを照射することにより、情報の記録再生を行うディスクドライブ装置において、
　ドライブ装置にディスク記録媒体が装填されたとき、トラッキングサーボをオフした状態で、低回転駆動から目標回転数に向けて加速を開始すると共に、トラッキングエラー本数をカウントするカウント手段と、
　そのカウント手段によるカウント本数と所定の振動判別用しきい値とを比較して、そのカウント本数が該しきい値以上になったときは、前記目標回転数よりも低い回転数でトラッキングサーボその他のサーボをオンして情報を再生し、また、前記カウント本数が前記しきい値を越えることなく、回転数が目標回転数に達したときは、その目標回転数でトラッキングサーボその他のサーボをオンして情報を再生する制御手段とを備えたことを特徴とするディスクドライブ装置。」を、
「【請求項１】　ディスク記録媒体に記録された情報トラックの記録面に光ビームを照射することにより、情報の記録再生を行うディスクドライブ装置において、
　ドライブ装置にディスク記録媒体が装填されたとき、トラッキングサーボをオフした状態で、低回転駆動から目標回転数に向けて加速を開始すると共に、トラッキングエラー本数をカウントするカウント手段と、
　そのカウント手段によるカウント本数と所定の振動判別用しきい値とを比較して、そのカウント本数が該しきい値以上になったときは、前記目標回転数よりも低い回転数でトラッキングサーボその他のサーボをオンして情報を再生し、また、前記カウント本数が前記しきい値を越えることなく、回転数が目標回転数に達したときは、その目標回転数でトラッキングサーボその他のサーボをオンして情報を再生する制御手段とを備え、
　前記制御手段は、前記カウント本数が前記しきい値を越えたとき、段階的に回転数を落として、前記カウント本数が前記しきい値を越えない範囲の回転数でトラッキングサーボその他のサーボをオンして情報を再生することを特徴とするディスクドライブ装置。」とする補正を含むものである。
　
　上記補正は、「制御手段」について、「前記カウント本数が前記しきい値を越えたとき、段階的に回転数を落として、前記カウント本数が前記しきい値を越えない範囲の回転数でトラッキングサーボその他のサーボをオンして情報を再生する」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか否か（特許法第１７条の２第５項において準用する同法第１２６条第４項の規定に適合するか否か）について以下に検討する。
　
（１）引用例
　当審の拒絶の理由に引用した特開平１０−１４３９９１号公報（以下、「刊行物」という。）には、図面とともに、
「【０００１】
　　【発明の属する技術分野】
　本発明は、光ビームを用いてディスクの高速再生を可能としたディスク再生装置に係り、特に、高速回転時にディスク再生装置に振動を起こさせる偏重心ディスクの検出方法とディスクの偏重心量を検出可能としたディスク再生装置に関する。」
「【００２３】
　　【発明の実施の形態】
　以下、本発明の実施形態を図面により説明する。　
　図１は本発明による偏重心ディスク検出方法及びディスク再生装置の第１の実施形態を示すブロック図であって、１５はカウンタ、１６，１７は記憶素子、１８は比較回路であり、図５に対応する部分には同一符号を付けて重複する説明を省略する。
　【００２４】
　同図において、この実施形態は、図５に示した従来のディスク再生装置にカウンタ１５，記憶素子１６，１７及び比較回路１８を設け、プリアンプ回路７からのトラック横切りパルスＤを用いてディスク１の偏重心量の情報を検出するものである。
　【００２５】
　即ち、例えば、ディスク１が装着されて情報信号の再生を行なう前に、ＣＰＵ１０は禁止信号Ｃを発生してトラッキング制御回路８の動作を停止した状態として、かつ、情報読取部６の光ピックアップを停止状態とし、また、指令Ａを発生して、ディスクモータ制御回路５により、ディスク１をその規定回転速度もしくはその２倍の回転速度程度で回転する１もしくは２倍速程度の回転状態に設定する。この回転速度を、以下、第１の回転速度というが、この第１の回転速度は、ディスク１が偏重心ディスクであっても、ディスク再生装置に振動を発生させない程度の回転速度とするものであって、上記の１倍速や２倍速に限るものではない。
　【００２６】
　ディスク１がかかる第１の回転速度で回転する回転状態、即ち、低速回転状態で情報読取部６によってディスク１の再生を行なわせ、その再生信号を、プリアンプ回路７で増幅，波形整形などの処理を施した後、トラック横切りパルスＤとして、ＣＰＵ１０とカウンタ１５とに供給する。ＣＰＵ１０は、上記従来技術のように、ディスク１上の所望のトラック２をアクセスするとき、このトラック横切りパルスＤを用いる。
　【００２７】
　一方、カウンタ１５は、このトラック横切りパルスＤの一方のエッジをカウントするとともに、また、ディスクモータ制御回路５からディスク１の１回転毎に供給されるリセットパルスＥによってリセットされる。従って、カウンタ１５では、ディスク１の１回転毎のトラック横切りパルスＤのパルス数Ｎ1が得られ、そのカウント値Ｎ1が記憶素子１６に記憶される。
　【００２８】
　次に、ＣＰＵ１０はディスクモータ制御回路５に指令Ａを送り、ディスク１を高速回転させる。この場合の回転速度としては、このディスク１が偏重心ディスクであれば、必ずディスク再生装置に振動が発生するような回転速度（以下、第２の回転速度という）とし、例えば、８倍速程度の回転速度とする。
　【００２９】
　かかる第２の回転速度で回転する高速回転状態で、上記と同様に、情報読取部６から出力される再生信号を、プリアンプ回路７で増幅，波形整形などの処理を施した後、トラック横切りパルスＤとしてカウンタ１５に供給する。カウンタ１５は、このトラック横切りパルスＤの一方のエッジをカウントし、また、ディスクモータ制御回路５からディスク１の１回転毎に供給されるリセットパルスＥによってリセットされる。従って、カウンタ１５では、ディスク１の１回転毎のトラック横切りパルスＤのパルス数Ｎ2が得られ、そのカウント値Ｎ2が記憶素子１７に記憶される。
　【００３０】
　このようにして、低速回転時でのトラック横切りパルス数Ｎ1が記憶素子１６に、高速回転時のトラック横切りパルス数Ｎ2が記憶素子１７に夫々記憶されると、比較回路１８により、これらパルス数Ｎ1，Ｎ2が比較されてこれらの比または差が得られる。かかる比較結果ＦはＣＰＵ１０に取り込まれる。
　【００３１】
　ディスク１が偏重心ディスクである場合には、図６で説明したように、第１の回転速度で回転するとき、光ビーム３の走査軌跡はほぼ円形の軌跡２３となり、第２の回転速度で回転するときには、光ビーム３の走査軌跡がほぼ楕円形の軌跡２４となる。従って、記憶素子１７に記憶されたディスク１の１回転でのトラック横切りパルス数Ｎ2は記憶素子１６に記憶されたディスク１の１回転でのトラック横切りパルス数Ｎ1よりも大きくなる。このため、比較回路１８の比較結果Ｆであるこれらの比Ｎ2／Ｎ1は１よりも大になり、また、これらの差（Ｎ2−Ｎ1）は正となり、これらがこれらに対して予め設定された閾値以上のとき、偏重心ディスクということになる。
　【００３２】
　ここで、ディスクの回転速度に対するその１回転当りのトラック横切りパルス数の変化を示すと、一般に、図２に示すようになる。
　【００３３】
　同図において、特性１９は偏心量も偏重心量もともに小さいディスクの特性を示すものであって、ディスクの１回転当りのトラック横切りパルス数は充分小さく、かつ回転速度の変化にかかわらず、ほぼ一定である。特性２０は、偏心量は大きいが、偏重心量が小さいディスクの特性を示すものであって、ディスク１の回転当りのトラック横切りパルス数は大きいが、回転速度の変化にかかわらずほぼ一定である。
　【００３４】
　特性２１は、偏心量は小さいが、偏重心量が大きいディスクの特性を示すものであって、ディスクの１回転当りのトラック横切りパルス数は、回転速度の変化とともに変化する。その変化は、先に説明したように、ディスクの回転速度が順次増加して、ディスク再生装置で発生する振動周波数が光ピックアップを保持する弾性部材の伝達関数の固有振動数に近づくとともに増加していき、さらにディスクの回転速度が増加して、ディスク再生装置で発生する振動数が光ピックアップを保持する弾性部材の伝達関数の固有振動数から離れていくとともに減少していく。
　【００３５】
　この図２において、ｆ1が上記の第１の回転速度であり、ｆ2が上記第２の回転速度である。この図２からして、記憶素子１６に記憶された第１の回転速度ｆ1でのトラック横切りパルス数Ｎ1と記憶素子１７に記憶された第２の回転速度ｆ2でのトラック横切りパルス数Ｎ2とを比較し、その比較結果Ｆが予め設定されている閾値以上かどうかを検出することにより、ディスク１が偏重心ディスクであるか否かを判別することができ、また、ディスク１が偏重心ディスクである場合には、この比較結果Ｆが偏重心量の程度を示す情報となり、ＣＰＵ１０は、これにより、偏重心量の程度を認識することができる。
　【００３６】
　ＣＰＵ１０は、比較回路１８のかかる比較結果Ｆに基づいて、現在装着されているディスク１が偏重心ディスクであるか否かを判別し、偏重心ディスクでない場合には、情報信号の再生を行なう際、外部からの要求に応じた回転速度でディスク１を回転させるが、偏重心ディスクであるときには、外部からの要求にかかわらず、この比較結果Ｆに応じてこのディスク１の最大回転速度を制限する。例えば、ディスク１がＣＤ−ＲＯＭであって、８倍速の高速再生が可能としても、６倍速までの高速再生に制限する。
　【００３７】
　このようにして、振動検出手段を別に設けることなく、ディスク１が偏重心ディスクであるか否かを容易にかつ確実に判別することができ、また、このディスク１の偏重心量の程度を示す情報を検出することができて、この偏重心量に応じて最大回転速度を制限することができ、ディスク再生装置の振動の発生を防止することができる。
　【００３８】
　なお、さらに、ディスク１の許容最大回転速度をより正確に検出する方法としては、第２の回転速度として図２でのｆ2に設定したときに比較結果Ｆが得られた結果、ディスク１が偏重心ディスクであることが判明した場合、さらに、第２の回転速度をｆ2から順次低くしていきながら、夫々の第２の回転速度毎に得られるトラック横切りパルス数Ｎ2を記憶素子１７で書き換えて記憶素子１６に記憶されている第１の回転速度ｆ1でのトラック横切りパルス数Ｎ1と比較し、その比較結果Ｆである比または差が夫々に対して予め設定された閾値以下になったときの第２の回転速度をこのディスク１の許容最大回転速度とすることもできる。」と記載されている。
　
　上記記載によると、特に刊行物の第１の実施形態等を参照すると、
「光ビームを用いてディスクの高速再生を可能としたディスク再生装置情報信号の再生を行うディスク再生装置において、
　ディスクが装着されて、情報信号の再生を行う前に、トラッキング制御回路の動作を停止した状態として、ディスクの１回転毎にトラック横切りパルスのパルスを得るカウントと、
　第１の回転速度である規定回転速度またはその２倍で回転する１もしくは２倍速程度の回転でディスクを回転させ、カウンタでカウントされたトラック横切りパルスを第１の記憶素子に記憶させ、次に、ディスクモータ制御回路に指令を送り、ディスクが偏重心ディスクであれば、必ずディスク再生装置に振動が発生するような第２の回転速度である８倍程度の回転でディスクを回転させ、カウンタでカウントされたトラック横切りパルスを第２の記憶素子に記憶させ、これらパルス数の比または差を予め設定された閾値と比較し、閾値以上である場合、ディスクが偏重心ディスクであることを判別して６倍速までの高速再生に制限し、閾値を越えない場合、偏重心でないディスクとして、外部からの要求に応じた回転速度でディスクを回転させて情報信号を再生させるＣＰＵとを備え、
　ディスクが偏重心ディスクである場合、第２の回転速度を順次低くしていきながら、夫々の第２の回転速度毎に得られるトラック横切りパルスのカウント値を第２の記憶素子で書き換えて、第１の回転速度で記憶されているカウント値と比較し、比較結果である比または差が予め定められた閾値以下になったときの回転速度で情報信号の記録再生をするディスク装置。」の発明（以下、「刊行物の発明」という。）が開示されていると認めることができる。
　
（２）対比
　そこで、本願補正発明と刊行物の発明とを比較すると、
　刊行物の発明の「ディスク」「光ビームを用いてディスクの高速再生を可能としたディスク再生装置」「情報信号の再生」は、本願補正発明の「ディスク記録媒体」「ディスク記録媒体に記録された情報トラックの記録面に光ビームを照射することにより、情報の記録再生を行うディスクドライブ装置」「情報の再生」に相当し、
　刊行物の発明の「ディスクが装着されて、情報信号の再生を行う前に、トラッキング制御回路の動作を停止した状態」「トラック横切りパルスをカウントするカウンタ」は、本願発明の「ドライブ装置にディスク記録媒体が装填されたとき、トラッキングサーボをオフした状態」「トラキングエラー本数をカウントするカウント手段」に相当し、
　刊行物の発明の「予め設定された閾値」はディスクが偏重心ディスクであるかを検出するため、振動の有無を判別するから、本願発明の「所定の振動判別用しきい値」に相当し、
　刊行物の発明の「ＣＰＵ」はディスクが偏重心ディスクであるか否かにより回転速度を制御しており、本願補正発明の「制御手段」に相当する。　　また、刊行物の発明の１，２，６，８倍速を例示している「回転速度」は、本願補正発明の「回転数」に相当し、
　刊行物の発明の「第１の回転速度である規定回転速度またはその２倍で回転する１もしくは２倍速程度の回転でディスクを回転させ、カウンタでカウントされたトラック横切りパルスを第１の記憶素子に記憶させ、次に、ディスクモータ制御回路に指令を送り、ディスクが偏重心ディスクであれば、必ずディスク再生装置に振動が発生するような第２の回転速度である８倍程度の回転でディスクを回転させ、カウンタでカウントされたトラック横切りパルスを第２の記憶素子に記憶させ、これらパルス数の比または差」は、「予め設定された閾値」と比較されるから、本願補正発明の「所定の振動判別用しきい値」と比較されるものに該当する。
　
　したがって、両者は、
「ディスク記録媒体に記録された情報トラックの記録面に光ビームを照射することにより、情報の記録再生を行うディスクドライブ装置において、
　ドライブ装置にディスク記録媒体が装填されたとき、トラッキングサーボをオフした状態で、トラッキングエラー本数をカウントするカウント手段と、
　所定の振動判別用しきい値と比較されるものが、該しきい値以上になったときは低い回転数で情報を再生する制御手段とを備え、
　制御手段は、所定の振動判別用しきい値と比較されるものが、該しきい値以上を越えたとき、段階的に回転数を落として、所定の振動判別用しきい値と比較されるものが、該しきい値を越えない範囲の回転数で情報を再生するディスクドライブ装置。」で一致し、以下の点で相違する。
　
　〈相違点〉
１．振動判別用しきい値と比較されるものが、本願補正発明では、低回転駆動から目標回転数に向けて加速を開始するときカウントするトラッキングエラー本数であるのに対して、刊行物の発明では、第１の回転速度である規定回転速度またはその２倍で回転する１もしくは２倍速程度の回転でディスクを回転させ、カウンタでカウントされたトラック横切りパルスを第１の記憶素子に記憶させ、次に、ディスクモータ制御回路に指令を送り、ディスクが偏重心ディスクであれば、必ずディスク再生装置に振動が発生するような第２の回転速度である８倍程度の回転でディスクを回転させ、カウンタでカウントされたトラック横切りパルスを第２の記憶素子に記憶させ、これらパルス数の比または差であり、
　また、振動判別用しきい値と比較されるものが、該しきい値を越えないときの回転数を、本願補正発明では、目標回転数とするのに対して、刊行物の発明では、外部からの要求に応じた回転速度とする点。
　
２．情報の再生が、本願補正発明では、トラッキングサーボその他のサーボがオンであるのに対して、刊行物の発明では、トラッキングサーボその他のサーボについての記載がない点。
　
（３）判断
　上記相違点について判断する。
相違点１について
　ディスクを装置に装着し、トラッキングサーボをオフにした状態でトラックずれ信号をカウントすることにより偏心を検出し、再生できる最大の回転数で情報の再生を行うディスク装置は周知（特開平８−５５４２２号公報：「【００１８】　【作用】　以上の構成において、第１の構成によれば、ディスクの記録と再生の両方もしくは一方を行う装置において、まず始めにディスクを記録もしくは再生する際、ディスクを記録再生装置にローディングし、オペレータの操作により記録もしくは再生が開始されるが、記録もしくは再生に先立ってディスクの回転に伴うトラックのディスク半径方向の振れに関する情報を偏心検出部により検出し、その結果に応じて、回転数制御部は記録時または再生時に異常動作をおこさない範囲の回転数を選択しディスクモータの回転数を変更することにより、偏心量の大きなディスクでも安定に連続して情報信号を記録もしくは再生することが可能となる。」「【００３０】　次に、図１の構成において回転数を切り換える場合の手順を図２のフローチャートによって説明する。まず始めにディスクを記録もしくは再生する際、ディスクを記録再生装置１にローディングし、オペレータの操作により記録もしくは再生が指示される（Ｓ１０１）。これによりディスクモータ１０３が回転を行い（Ｓ１０２）、半導体レーザー１０４が発光し（Ｓ１０３）、フォーカスがスイッチ１２７によりＯＮされ（Ｓ１０４）、トラッキングがスイッチ１２８によりＯＮされる（Ｓ１０５）。次に、所定のトラックを検索し（Ｓ１０６）、ディスクの最内周から最外周（あるいは最外周から最内周）に渡って全トラックを走査し、偏心に関する情報が偏心検出手段１３２により検出される（Ｓ１０７）。その結果を平均化して回転数制御手段１３１は、記録時には記録の、再生時には再生のでき得る最大の回転数を選択する（Ｓ１０８）。ディスクモータ１０３が選択された回転数で回転（Ｓ１０９）した後、記録または再生を行う（Ｓ１１０）」「【００３５】　図５を用いて偏心に関する情報の検出手段の検出動作について詳しく説明する。フォーカスサーボのみを動作させることにより、偏心検出手段１３２がトラッキングの誤差信号をカウントすることにより偏心に関する情報を検出するように構成した例を示すもので、同図は本発明の第３の実施例の記録再生装置３のブロック図である。但し、図５において図１と共通するものは同じ番号を付し、説明を省略する。図６は第３の実施例における偏心検出手段１３２の構成をさらに詳しく示したブロック図であり、偏心検出手段１３２の内容は例えば次の通りである。差動増幅器１１５からトラックずれ信号を受け取ると、フィルタ１３を通して波形整形を行い、コンパレータ１４により２値化を行い、その値を誤差信号カウント手段１５でカウントする。カウントされた誤差信号の数が、予め決められていた数値を越えていた場合には回転数制御手段１３１はトラッキングサーボがかけれるようにディスクモータを最適な回転数に主に回転数を下げる方向で変化させる。」参照。）であり、
　エラーの測定を低回転から高速の回転数に加速するときとしたディスク装置も周知（特開平２−９４０６３号公報：「この開始当初の規定読取り速度で読取られたデータはピックアップ１４からエラー検出器３０に供給される。」（第３頁右上欄第２行〜第４行）、「ＣＤ−ＲＯＭがロードされていれば次のステップＳ2へ移る。ステップＳ2においてプログラマブル分周器４０の分周値Ｎを５０にセットする。この結果、参照信号の周波数ｆｃが差着ず５ＭＨｚにセットされる。続いてステップＳ3へ移る。ステップＳ3でシステムコントローラ３２はエラー検出器３０で検出されたエラー値を取り込み、検出エラー値が限度エラー値未満か否かを判断する。検出エラー値が限度エラー値未満あればステップＳ4へ移る。ステップＳ4で前記分周値Ｎの値が１増大される（Ｎ＝Ｎ＋１）。従ってＣＤ−ＲＯＭの読取り速度が高められる。ステップＳ4から動作ステップＳ3へ戻される。ステップＳ3での判定の結果、検出エラー値が限度エラー値と同等又はそれ以上であると判断されるとステップＳ5へ移る。ステップＳ5では分周値Ｎが例えば２減少される（Ｎ＝Ｎ−２）。従って限度エラー値のエラーが発生する読取り速度に対して２レベルの余裕度を持った読取り速度が設定される。ステップＳ5の後、終了ステップへ移り、上記学習動作を完了する。」（第４頁右上欄第１４行〜左下欄第１４行）、特開平６−４４５９５号公報：「【０００７】　次に、本実施例の動作を説明する。まず、記録媒体１が装置に装着された場合は、ＣＰＵ１１は予め決められた最小の回転数で記録媒体１を回転させるようにスピンドルモータ２に指示する。これにより、記録媒体１は所定の最小の回転数で回転し始め、この状態で光学ヘッド３から記録媒体１上に光ビームが照射される。この光ビームは記録媒体１の表面で反射され、その反射光は光学ヘッド３内の光センサで検出される。また、この光センサの検出信号はトラッキング検出回路４、フォーカシング検出回路５へ送られ、各検出回路でそれぞれ正規化されたトラッキングエラー信号、フォーカシングエラー信号が生成される。得られたトラッキングエラー信号、フォーカシングエラー信号は、それぞれ位相補償回路６及び７で位相補償された後、ドライバ８，９へ送られる。そして、これらのドライバ８，９でトラッキングアクチュエータ、フォーカシングアクチュエータを駆動することにより、トラッキング制御とフォーカシング制御が行われ、光ビームは媒体面に合焦しつつ情報トラック上を走査する。　【０００８】　一方、トラッキング検出回路４、フォーカシング検出回路５のトラッキングエラー信号とフォーカシングエラー信号は、それぞれＡ／Ｄコンバータ１０に取り込まれ、得られた値はＣＰＵ１１に出力される。ＣＰＵ１１では、トラッキングエラー信号とフォーカシングエラー信号のいずれかの取り込み値と予めメモリ内に記憶された所定の値を比較し、取り込んだ値が所定値より小さいとスピンドルモータ２に所定回転数分だけ回転数を上げるように指示する。また、同時にＣＰＵ１１は図示しない信号処理系にスピンドルモータ２の回転数を上げたことを通知する。この場合、スピンドルモータ２の回転数は最小であるため、必らず取り込み値が所定値よりも小さくなり、従ってスピンドルモータ２の回転数は所定回転数分上げることになる。なお、スピンドルモータ２の回転数は所定回転数ずつ段階的に増減するように予め決められている。こうしてスピンドルモータ２の回転数が１ステップ分速くなり、この状態でＣＰＵ１１は前記と同様の動作で、新たに得られたサーボエラー信号の取り込み値と所定値を比較し、その比較に基づいてスピンドルモータ２の回転数を決定する。このようにＣＰＵ１１は、Ａ／Ｄコンバータ１０の取り込み値と所定値の比較動作を繰り返し行ってスピンドルモータ２の回転数も段階的に増していき、両方の値が等しくなったところで、そのときの回転数を装着された記録媒体１に対応した回転数と決定する。即ち、トラッキングエラー信号とフォーカシングエラー信号のいずれかの大きさを検出することによって、記録媒体の外乱の大きさを検出し、この大きさに応じて記録媒体１の回転数を変化させることで、トラッキング制御とフォーカシング制御のサーボ能力を最大限に引き出すものである。こうして記録媒体毎に最適回転数を決定し、以後は決められた回転数で記録、再生動作を行う。なお、回転数の決定は記録媒体ごとに、スピンドルモータ２の立ち上げ時に１回行えばよい。」参照。）であるから、
　ディスクの偏重心を検出して情報の再生を許容できる最大回転速度とする刊行物の発明において、低回転駆動から最大の回転数（目標回転数）に加速するとき、トラッキングエラー数をカウントし、予め設定された閾値（振動判別用しきい値）を越えないときには、再生時に再生できる最大の回転速度である外部からの要求に応じた回転速度（目標回転数）で情報を再生するように構成することは、当業者が容易に推考できることと認める。
　
相違点２について
　情報の再生時に、トラッキングサーボ及びその他のサーボをオンにすることは周知であり、相違点１で例示した周知例（特開平８−５５４２２号公報）にも記載されている。刊行物の発明においても、トラッキングサーボ及びその他のサーボをオンにして情報信号の再生をしているものであり、この点で、刊行物の発明は、本願補正発明と実質的に相違しない。
　
　したがって、本願補正発明は、刊行物に記載された発明及び周知技術から当業者が容易に発明することができたものであるから、特許法第２９条第２項の規定により特許出願の際独立して特許を受けることができないものである。
　
（４）むすび
　以上のとおり、本補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１３年１２月２８日受付けの手続補正は上記のとおり却下されたので、本願の請求項１に係る発明（以下、同項記載の発明を「本願発明」という）は、平成８年１１月５日の出願当初の特許請求の範囲の請求項１に記載された事項により特定されるとおりのものである（上記「２．」の記載を参照）。
　
（１）引用例
　当審の拒絶の理由に引用された引用例、および、その記載事項は、前記「２（１）」に記載したとおりである。
　
（２）対比・判断
　本願発明は、前記「２．」で検討した本願補正発明から限定事項である「前記カウント本数が前記しきい値を越えたとき、段階的に回転数を落として、前記カウント本数が前記しきい値を越えない範囲の回転数でトラッキングサーボその他のサーボをオンして情報を再生する」との構成を省いたものである。
　そうすると、本願発明の構成要件を全て含み、さらに他の構成要件を付加したものに相当する本願補正発明が前記「２．（３）」に記載したとおり、刊行物の発明及び周知技術に基づいて、当業者が容易に発明をすることができたものであるから、本願発明も、同様の理由により、刊行物に記載された発明及び周知技術に基づいて、当業者が容易に発明することができたものである。
　
（３）むすび
　以上のとおり、本願発明は、刊行物に記載された発明及び周知技術に基づいて、当業者が容易に発明をすることができたものであるから、特許法第２９条第２項の規定により特許を受けることができない。
　よって、結論のとおり審決する。